(57)【要約】【課題】漏れ光を抑制しつつ放熱性能を向上させることのできる照明装置を提供すること。【解決手段】照明装置１は、光源５２と、レンズ６０と、伸縮遮光部材１３０と、を具備する。レンズ６０は、光源５２に対向配置され、且つ、光源５２との距離を変化させることができる。伸縮遮光部材１３０は、光源５２とレンズ６０との間に亘って配置されると共に、光源５２とレンズ６０との間の光路を覆い、光源５２とレンズ６０との距離の変化に伴って伸縮する。【選択図】図３
2020053277.tif 000002
【特許請求の範囲】
【請求項１】
光源と；
前記光源に対向配置され、且つ、前記光源との距離を変化させることができるレンズと；
前記光源と前記レンズとの間に亘って配置されると共に、前記光源と前記レンズとの間の光路を覆い、前記光源と前記レンズとの距離の変化に伴って伸縮する伸縮遮光部材と；
を具備する照明装置。
【請求項２】
前記光源と、前記レンズと、前記伸縮遮光部材とを覆う筐体；
を具備し、
前記筐体には、前記光源の照射方向における前記伸縮遮光部材が配置される位置に、通気孔が形成される請求項１に記載の照明装置。
【請求項３】
前記レンズは前記筐体に固定され、
前記光源が前記筐体に対して移動することにより、前記光源と前記レンズとの距離が変化する請求項２に記載の照明装置。
【発明の詳細な説明】
【技術分野】
【０００１】
本発明は、照明装置に関する。
【背景技術】
【０００２】
近年、照明装置等の光源として、ＬＥＤ（Ｌｉｇｈｔ  Ｅｍｉｔｔｉｎｇ  Ｄｉｏｄｅ）を用いたものが普及している。ＬＥＤを用いた照明装置は、ハロゲンランプ等を用いたものより発熱が少ないというメリットがあるが、一方でＬＥＤは、発熱量が増加すると光量が低下したり、寿命に悪影響が与えられたりする。このため、ＬＥＤを用いる従来の照明装置の中には、温度上昇の抑制を図っているものがある。例えば、特許文献１に記載された照明装置は、光源から発生する熱を放熱する放熱器を収納する筐体の内部と、電源部を収納する電源ボックスの内部とを、接続部材によって空間的に接続することにより、空気の流れを生じ易くし、温度上昇を抑制している。
【先行技術文献】
【特許文献】
【０００３】
【特許文献１】特開２０１６−１１０９３４号公報
【発明の概要】
【発明が解決しようとする課題】
【０００４】
ここで、従来の照明装置の中には、照射角を可変に構成されているものがあり、特許文献１に記載されている照射装置のような、いわゆるスポットライトでは、レンズと光源との距離を変えることにより照射角を変化させるズーム機構が備えられている。このようなズーム機構を備える照明装置において、光源を移動させることによってレンズと光源との距離を変化させることができるように構成されている場合、照射角を変化させるためにズーム機構によって光源を移動させた際には、光源と共に放熱器も移動する。一方で、光源や放熱器を収容する筐体には、光源の発光時に放熱器から放熱される熱を筐体の内部から外に逃がす通気孔が形成されているが、ズーム機構によって放熱器が移動した場合、筐体の通気孔の位置と放熱器の位置とが大幅にずれる虞がある。
【０００５】
つまり、筐体は、光源の発光時に光源からの光が所望の照射方向以外の方向へ漏れることを防ぐために、光源の位置よりもレンズが位置する方向側の位置には通気孔は設けずに、適切に遮光する必要がある。このため、ズーム機構によってレンズとの距離が小さくなる方向に光源を移動させた場合、光源と共に移動する放熱器は、通気孔が形成されていない位置まで移動し、放熱器と通気孔との位置が大幅にずれる虞がある。この場合、放熱器から放熱された熱が筐体の外に逃げ難くなるため、筐体内の温度が上昇し易くなる虞がある。しかし、光源の照射方向側の部分は、光源からの光がレンズ以外から外部に向けて照射しないようにするための遮光が必要なため、筐体における、光源の移動範囲に対応する放熱器の移動範囲の全ての位置に通気孔を設けるのは困難になっている。このため、光源の発光時に所望の照射方向以外の方向へ漏れる光である漏れ光の発生を抑えつつ、放熱性能を高めるのは、大変困難なものとなっていた。
【０００６】
本発明は、上記に鑑みてなされたものであって、漏れ光を抑制しつつ放熱性能を向上させることのできる照明装置を提供することを目的とする。
【課題を解決するための手段】
【０００７】
実施形態の照明装置は、光源と；レンズと；伸縮遮光部材と；を具備する。レンズは、光源に対向配置され、且つ、光源との距離を変化させることができる。伸縮遮光部材は、光源とレンズとの間に亘って配置されると共に、光源とレンズとの間の光路を覆い、光源とレンズとの距離の変化に伴って伸縮する。
【発明の効果】
【０００８】
本発明によれば、漏れ光を抑制しつつ放熱性能を向上させることができる。
【図面の簡単な説明】
【０００９】
【図１】図１は、実施形態に係る照明装置の斜視図である。
【図２】図２は、図１に示す照明装置の側面図である。
【図３】図３は、図１に示す照明装置の要部断面図である。
【発明を実施するための形態】
【００１０】
以下で説明する実施形態に係る照明装置１は、光源５２と、レンズ６０と、伸縮遮光部材１３０と、を具備する。レンズ６０は、光源５２に対向配置され、且つ、光源５２との距離を変化させることができる。伸縮遮光部材１３０は、光源５２とレンズ６０との間に亘って配置されると共に、光源５２とレンズ６０との間の光路を覆い、光源５２とレンズ６０との距離の変化に伴って伸縮する。
【００１１】
また、以下で説明する実施形態に係る照明装置１は、光源５２と、レンズ６０と、伸縮遮光部材１３０とを覆う筐体１０を具備し、筐体１０には、光源５２の照射方向における伸縮遮光部材１３０が配置される位置に、通気孔１８が形成される。
【００１２】
［実施形態］
次に、実施形態に係る照明装置１を図面に基づいて説明する。図１は、実施形態に係る照明装置１の斜視図である。図２は、図１に示す照明装置１の側面図である。図３は、図１に示す照明装置１の要部断面図である。なお、以下の説明では、レンズ６０の光軸に平行な方向を前後方向Ｆとし、前後方向Ｆにおいてレンズ６０が配置されている側を前側、反対側を後ろ側とする。また、制御装置１２０が配置されている側を上下方向Ｖにおける下側、反対側を上下方向Ｖにおける上側とする。また、前後方向Ｆと上下方向Ｖとの双方に直交する方向を幅方向Ｗとする。
【００１３】
照明装置１は、筐体１０と、筐体１０に設けられたバンドア３０と、筐体１０に設けられた吊り下げ部材４０と、筐体１０に収容された光源ユニット５０と、筐体１０に固定されたレンズ６０と、筐体１０に収容され、光源ユニット５０を冷却可能に構成された冷却装置７０と、光源ユニット５０及び冷却装置７０が固定され、これらをレンズ６０に近づく方向及び離れる方向に一体に移動可能に構成された移動装置１００と、制御装置１２０とを有している。
【００１４】
筐体１０は、一端に開口を有しており、この一端部にレンズ６０が固定されている。筐体１０は、具体的には、筐体本体１１と、筐体本体１１に着脱可能に取り付けられる蓋部材１５とを有している。筐体本体１１は、筐体１０の底壁部１２と、側壁部１３の一部と、後壁部１４とを構成しており、蓋部材１５は、筐体１０の側壁部１３の一部と、上壁部１６とを構成している。
【００１５】
筐体本体１１内には、レンズ６０を固定可能に形成されるレンズ固定部２０が配置されている（図３参照）。レンズ固定部２０は、筐体本体１１の前端部に設けられている。レンズ固定部２０は、具体的には、レンズ６０の外径と略同じ長さの内径を有する円筒状に形成されており、軸方向が前後方向Ｆに向かう向きで配置されている。このように配置されるレンズ固定部２０における、軸方向の後ろ側の端部には、レンズ６０が固定される固定部２１が形成されている。
【００１６】
固定部２１は、例えば、レンズ６０の縁部を内側に配置する溝部である。固定部２１は、レンズ６０の外周部が嵌合する形状に形成されている。固定部２１にレンズ６０の縁部が嵌合することにより、固定部２１にレンズ６０が固定されることとなる。レンズ６０は、レンズ固定部２０に固定されることにより、筐体本体１１内における、前後方向Ｆの前側寄りの位置に配置される。
【００１７】
レンズ固定部２０は、前後方向Ｆにおける前側の端部、即ち、レンズ６０が固定されない方の端部を、筐体本体１１の前端開口に向けた姿勢で、筐体本体１１内に固定されている。レンズ固定部２０は、筐体本体１１の前端開口と、例えば同軸に配置されている。
【００１８】
また、筐体本体１１の前縁とレンズ固定部２０との間は、閉塞されており、光が漏れることが防止されている。この構造として、例えば、筐体本体１１の前縁とレンズ固定部２０との間を閉塞する壁部が形成されている。
【００１９】
レンズ固定部２０には、複数の連通孔２２が形成されている。連通孔２２は、レンズ固定部２０の周壁部を貫通している。複数の連通孔２２は、均等に配置されている。
【００２０】
バンドア３０は、筐体１０の前端開口の縁部に設けられている。バンドア３０は、レンズ６０から照射された照射光の照射範囲を調整可能に構成されている。
【００２１】
吊り下げ部材４０は、筐体１０の両側壁部１３のそれぞれに回動可能に連結された枠部材４１と、筐体本体１１に枠部材４１を固定可能に構成されたロック装置４２と、枠部材４１に固定された固定部材４３とを有している（図１、図２参照）。
【００２２】
枠部材４１は、例えばＵ字形状である。枠部材４１は、その両端部が、筐体本体１１の幅方向Ｗに平行な回動軸回りに回動可能に、側壁部１３に連結されている。ロック装置４２は、例えば、ハンドル４４を有している。ロック装置４２は、ハンドル４４が回転されることにより、筐体本体１１に対して枠部材４１を固定可能に構成されている。枠部材４１は、ロック装置４２により側壁部１３に固定されることにより、その姿勢が固定される。即ち、枠部材４１は、回動することなく筐体１０に固定される。固定部材４３は、例えば、スタジオ等の使用場所の天井から吊り下げられたバトンに着脱可能に形成されている。
【００２３】
光源ユニット５０は、基板５１と、基板５１に搭載された光源５２と、ミラー５３とを有している。基板５１は、制御装置１２０の制御により、光源５２を発光可能に構成されている（図３参照）。光源５２は、ＬＥＤ（Ｌｉｇｈｔ  Ｅｍｉｔｔｉｎｇ  Ｄｉｏｄｅ）等の発光素子である。光源５２は、基板５１に、例えば複数搭載されている。
【００２４】
ミラー５３は、円筒状に形成されており、基板５１に固定されている。ミラー５３は、その内側に光源５２を配置している。また、基板５１には、ミラー５３を基板５１に支持する支持機構５４が設けられている。
【００２５】
支持機構５４は、環状部材５５と、環状部材５５を基板５１に固定する固定部材５６とを有している。環状部材５５は、その内縁部が、ミラー５３の前端縁に固定されている。このため、環状部材５５は、ミラー５３の前縁から周方向に延びるフランジ状に形成されることとなる。固定部材５６は、例えばねじ部材である。
【００２６】
このように構成された光源ユニット５０は、ミラー５３の軸線をレンズ６０の光軸上に配置する姿勢で、移動装置１００に固定されている。
【００２７】
レンズ６０は、レンズ固定部２０の固定部２１に固定されている。つまり、レンズ６０は、レンズ固定部２０に固定されることを介して筐体１０に固定されている。レンズ６０は、光源５２に対して対向配置されており、光源５２が発光した光を、筐体１０の前端開口を通して外部に照射可能に形成されている。レンズ６０は、例えばフレネルレンズである。
【００２８】
また、レンズ６０は、一例として、その光軸が、筐体１０の幅方向中心を通る位置に配置されている。換言すると、筐体１０及びレンズ固定部２０は、レンズ６０が、その光軸が筐体１０の幅方向中心を通るように形成されている。
【００２９】
冷却装置７０は、光源ユニット５０に熱的に接続された放熱器８０と、放熱器８０に熱的に接続された複数のヒートパイプ９０とを有している。
【００３０】
放熱器８０は、光源ユニット５０の基板５１が固定されたベース板８１と、ベース板８１に設けられた複数の放熱フィン８２とを有している。ベース板８１及び複数の放熱フィン８２は、別部材として形成され、互いに固定されてもよい。または、押し出し成形等により、一体に形成されてもよい。
【００３１】
ベース板８１は、板形状に形成されている。ベース板８１は、一方の主面を前方に向け、他方の主面を後方に向けた姿勢で、移動装置１００に固定されている。また、ベース板８１は、その幅方向中心がレンズ６０の光軸が通る位置に配置されている。また、ベース板８１の前面には、基板５１が配置され、光源ユニット５０が固定されている。
【００３２】
放熱フィン８２は、光源ユニット５０がベース板８１に固定され、且つ、放熱フィン８２がベース板８１に固定されることにより、光源５２に熱的に接続されている。
【００３３】
複数の放熱フィン８２は、前端部がベース板８１に固定され、残りの部分がベース板８１の後方に延びている。放熱フィン８２は、例えば、矩形の板状に形成されている。複数の放熱フィン８２は、幅方向Ｗに互いに離間して配置されている。また、全ての放熱フィン８２は、略平行に配置されている。
【００３４】
ヒートパイプ９０は、両端が閉塞された管部材からなり、内部に作動流体が収容されている。複数のヒートパイプ９０は、それぞれ複数の放熱フィン８２を幅方向Ｗに貫通すると共に、ベース板８１側と、ベース板８１の後方側との間に亘って環状に形成されている。ヒートパイプ９０の内部に収容される作動流体は、揮発性の液体になっている。作動流体は、ベース板８１から受けた熱により蒸発し、ベース板８１の後方の放熱フィン８２の位置で放熱する。
【００３５】
移動装置１００は、冷却装置７０及び光源ユニット５０を、前後方向Ｆに移動可能に支持しており、光源５２とレンズ６０との距離を変化させることが可能になっている。移動装置１００は、具体的には、冷却装置７０が固定された枠体９５と、枠体９５を前後方向Ｆに移動可能に構成された移動機構１１０とを有している。枠体９５は、放熱器８０が固定されている。
【００３６】
移動機構１１０は、枠体９５を、所定範囲内で、前後方向Ｆに移動可能に形成されている。これにより、移動機構１１０は、冷却装置７０と、光源５２を有する光源ユニット５０とを、一体で筐体１０に対して移動させることが可能になっている。所定範囲は、例えば、レンズ６０から所定距離離れた位置で要求される照射範囲に基づいて決定されている。照射範囲は、レンズ６０の焦点位置により決定される。焦点位置は、レンズ６０に対する光源５２の位置により決定される。即ち、所定範囲は、レンズ６０の焦点位置に応じて、その前端及び後端が決定されている。
【００３７】
移動機構１１０は、例えば、図３に示すように、ボールねじ構造を有している。移動機構１１０は、具体的には、枠体９５に固定されたナット部材１１１と、筐体１０に回転可能に支持された雄ねじ部材１１２を有している。
【００３８】
ナット部材１１１は、幅方向Ｗにおける枠体９５の側壁の下端部に固定されている。雄ねじ部材１１２は、その軸方向を前後方向Ｆに平行とする姿勢で、筐体１０の底壁部１２に、支持部１１３により回転可能支持されている。雄ねじ部材１１２は、ナット部材１１１に螺合している。雄ねじ部材１１２が回転されることにより、枠体９５が、前後方向Ｆに移動される。
【００３９】
雄ねじ部材１１２は、枠体９５を所定範囲内で移動可能とするべく、その一部に雄ねじが形成されている。雄ねじ部材１１２の後端部には、雄ねじは形成されていない。
【００４０】
雄ねじ部材１１２の後端部は、筐体１０の後壁部１４よりも後方に配置されている。後端部には、ハンドル１１５が設けられている。ハンドル１１５は、作業者が把持しやすい形状に形成されている。また、移動機構１１０は、枠体９５が所定範囲内を越えて移動することを防止するストッパを有している。即ち、このストッパにより、枠体９５が所定範囲を超えて前側や後ろ側に移動することが防止される。
【００４１】
このように構成された移動機構１１０は、光源ユニット５０と、冷却装置７０と、枠体９５とを、筐体１０に対して上述の位置に固定している。なお、本実施形態では、移動装置１００は、移動機構１１０がボールねじ構造を有することにより、移動機構１１０が枠体９５を筐体１０に対して幅方向Ｗに固定している。なお、移動装置１００は、他の例として、移動機構１１０以外に、枠体９５を幅方向Ｗに固定する固定機構を有してもよい。
【００４２】
制御装置１２０は、筐体１０の底壁部１２に取り付けられており、光源ユニット５０を制御可能に構成されている。また、制御装置１２０は、光源５２の温度が、耐熱温度を超えた場合に、周囲に報知可能に構成されてもよい。この場合、光源ユニット５０の基板５１には、光源５２の温度を検出するセンサが設けられている。制御装置１２０のこのセンサの検出結果に基づいて、光源５２の温度が、その耐熱温度以上であるか否かを判断する。
【００４３】
周囲への報知手段としては、例えば、表示部１２１がある。表示部１２１は、制御装置１２０の側面に形成されている。制御装置１２０は、光源５２の温度が耐熱温度以上であると、アラーム表示の一例として、表示部１２１を点灯する。
【００４４】
光源ユニット５０とレンズ６０との間には、伸縮遮光部材１３０が配置されている。伸縮遮光部材１３０は、前後方向Ｆに伸縮可能に形成されており、光源５２とレンズ６０との間に亘って配置されると共に、光源５２とレンズ６０との間の光路を覆っている。即ち、伸縮遮光部材１３０は、光源５２とレンズ６０との間の光軸を中心とする周回りに形成されている。伸縮遮光部材１３０を前後方向Ｆに見た場合における形状は、光源５２とレンズ６０との間の光軸付近を中心とする円形状でもよく、矩形等の多角形状でもよい。
【００４５】
伸縮遮光部材１３０は、例えば、樹脂等の変形可能な材料からなり、蛇腹状の形状で形成されている。伸縮遮光部材１３０は、蛇腹の伸縮方向における一端が光源ユニット５０側に取り付けられ、蛇腹の伸縮方向における他端がレンズ固定部２０側に取り付けられている。
【００４６】
伸縮遮光部材１３０における、光源ユニット５０側に取り付けられる側の端部は、枠体９５の前後方向Ｆにおける前側に設けられる固定部材５７に取り付けられる。即ち、伸縮遮光部材１３０における、光源ユニット５０側に取り付けられる側の端部は、枠体９５を介して光源ユニット５０に固定される。伸縮遮光部材１３０における、レンズ固定部２０側に取り付けられる側の端部は、レンズ固定部２０が有する固定部２１に対して、前後方向Ｆにおける後ろ側から取り付けられる。即ち、伸縮遮光部材１３０における、レンズ固定部２０側に取り付けられる側の端部は、レンズ固定部２０を介して、レンズ６０に固定される。
【００４７】
前後方向Ｆに伸縮可能な伸縮遮光部材１３０は、伸縮方向における一端が光源ユニット５０に固定され、他端がレンズ６０に固定されているため、移動装置１００によって光源５２とレンズ６０との距離を変化させた場合、光源５２とレンズ６０との距離の変化に伴って前後方向Ｆに伸縮することが可能になっている。
【００４８】
筐体１０は、内部にレンズ固定部２０と光源ユニット５０とが配置されることにより、光源５２と、レンズ６０と、伸縮遮光部材１３０とを覆っており、筐体１０には、複数の通気孔１８が形成されている。本実施形態では、通気孔１８は、筐体１０の上壁部１６（図１参照）と後壁部１４とに形成されている（後壁部１４の通気孔１８は図示省略）。
【００４９】
このうち、筐体１０の上壁部１６に形成される通気孔１８は、上壁部１６の前後方向Ｆにおける前端寄りの位置から後端寄りの位置に亘った広い範囲に形成されている。このため、筐体１０に形成される通気孔１８は、前後方向Ｆにおける、筐体１０の内部に配置される冷却装置７０が配置される位置や光源ユニット５０が配置される位置、光源５２の照射方向における、伸縮遮光部材１３０が配置される位置に形成されている。
【００５０】
本実施形態に係る照明装置１は、以上のような構成からなり、以下、その作用について説明する。照明装置１から光を照射する際には、外部の電源から供給される電力を、制御装置１２０によって制御して光源５２に供給する。光源５２は、供給された電力によって発光する。光源５２が発光することにより光源５２から照射された光は、前後方向Ｆにおける前方に向かう。
【００５１】
光源５２の前方には、レンズ６０が配置されているため、光源５２からの光は、レンズ６０を透過する。その際に、レンズ６０を透過する光は、レンズ６０の形状に基づいて屈折しながら透過する。これにより、レンズ６０を透過した光は、予め設定された任意の配光で前後方向Ｆにおける前方に向かって照射される。
【００５２】
照明装置１からの光の照射は、このように光源５２が発光することにより行われるが、光源５２が発光すると、熱を発生する。光源５２で発生した熱は、光源ユニット５０に熱的に接続された放熱器８０に伝えられ、放熱器８０を含む冷却装置７０によって放熱される。冷却装置７０からの放熱によって温度上昇した、筐体１０の内部の空気は、筐体１０における放熱器８０の近傍に形成される通気孔１８から、筐体１０の外に放出される。これにより、光源ユニット５０の温度上昇を抑制することができる。
【００５３】
また、光源５２から光を照射する光源ユニット５０は、移動装置１００によって前後方向Ｆに移動させることが可能になっている。移動装置１００による光源ユニット５０の移動は、筐体１０の後壁部１４に配置されているハンドル１１５を作業者が回転操作することにより行う。ハンドル１１５を回転させると、移動装置１００の移動機構１１０が有する雄ねじ部材１１２がハンドル１１５の回転に伴って回転し、雄ねじ部材１１２の回転に応じてナット部材１１１が前後方向Ｆに移動する。ナット部材１１１は、枠体９５に固定されているため、ナット部材１１１が前後方向Ｆに移動すると、枠体９５も前後方向Ｆに移動する。これにより、冷却装置７０と光源ユニット５０とが一体で、枠体９５と共に前後方向Ｆに移動し、即ち、光源ユニット５０が前後方向Ｆに移動する。
【００５４】
光源ユニット５０が前後方向Ｆに移動すると、光源５２とレンズ６０との距離が変化し、光源５２から照射される光の、レンズ６０に対する入射角度が変化する。これにより、光源５２からの光がレンズ６０を透過して前方に出射する際における光の角度が変化し、照射時における照射角が変化する。即ち、光源５２からの光がレンズ６０を透過して前方に出射する際における光の広がり方が変化し、照射範囲が変化する。
【００５５】
ここで、照射範囲を変化させるために、移動装置１００によって光源ユニット５０を前後方向Ｆに移動させた場合、光源ユニット５０と共に放熱器８０も移動する。その際に、筐体１０に形成される、放熱器８０からの放熱用の通気孔１８が、放熱器８０の移動範囲における全範囲の近傍の位置に形成されていると、光源ユニット５０の位置によっては、光源５２からの光が通気孔１８から漏れる虞がある。即ち、光源５２からの光は、大きな照射角で広い範囲に向かって照射されるため、一部の光はレンズ６０以外の方向に向かう。このため、光源ユニット５０の位置によっては、レンズ６０以外の方向に向かう一部の光が、通気孔１８から漏れる虞がある。
【００５６】
これに対し、本実施形態では、光源５２とレンズ６０との間の光路は、伸縮遮光部材１３０によって覆われている。このため、光源５２からの光は、光源５２の位置に関わらず、レンズ６０以外の方向に向かって光路の外側に広がろうとする光を、伸縮遮光部材１３０によって遮光することができる。また、伸縮遮光部材１３０は、光源５２とレンズ６０との距離の変化に伴って伸縮するため、光源ユニット５０を前後方向Ｆに移動させることによって光源５２を移動させた場合でも、光源５２の位置に関わらず、光源５２からレンズ６０以外の方向に向かう光を継続的に遮光することができる。従って、光源５２とレンズ６０との距離の変化させた場合でも、漏れ光を発生させることなく、効果的に温度上昇を抑制することができる。この結果、漏れ光を抑制しつつ放熱性能を向上させることができる。
【００５７】
また、筐体１０に形成される通気孔１８は、筐体１０の上壁部１６と後壁部１４とに形成されており、上壁部１６に形成される通気孔１８は、前後方向Ｆにおける前端寄りの位置から後端寄りの位置に亘った広い範囲に形成されている。即ち、筐体１０に形成される通気孔１８の一部は、光源５２の照射方向における伸縮遮光部材１３０が配置される位置に形成されている。これにより、通気孔１８は、より確実に、放熱器８０の移動範囲における全範囲の近傍に形成することができ、光源５２や放熱器８０の位置に関わらず、放熱器８０から放熱された熱を筐体１０の外に放出することができる。また、光源５２の照射方向における伸縮遮光部材１３０が配置される位置に通気孔１８が形成されることにより、筐体１０のより広い範囲に通気孔１８が形成されることになるため、光源５２の発光時における筐体１０の内部の熱を、より多くの通気孔１８から放出することができる。従って、筐体１０の内部における光源５２の温度上昇を、より確実に抑制することができ、より確実に漏れ光を抑制しつつ放熱性能を向上させることができる。
【００５８】
また、レンズ６０は、レンズ固定部２０を介して筐体１０に固定されており、照射角を変化させる際には、移動装置１００は、筐体１０に対して光源５２を移動させることにより光源５２とレンズ６０との距離を変化させるため、照射角を変化させる際における照射効率を確保することができる。つまり、照射角を変化させるために光源５２とレンズ６０との距離を変化させる機構が、光源５２が筐体１０に固定され、筐体１０に対してレンズ６０を移動させるものである場合、レンズ６０と光源５２との距離を小さくする際には、レンズ６０は筐体１０における照射光が通る開口部分から大きく離れることになる。この場合、レンズ６０を透過した光源５２からの光は、光軸から離れた部分が筐体１０によって遮られ易くなるため、照射効率が低下し易くなる虞がある。
【００５９】
これに対し、レンズ６０が、筐体１０における照射光が通る開口部分の近傍に固定される場合は、レンズ６０を透過した光源５２からの光は、筐体１０に遮られ難くなるため、光源５２で発光した光を効率良く照射することができる。これにより、照射角を変化させる際における照射効率を確保することができ、照射効率を確保しつつ放熱性能を向上させることができる。
【００６０】
［変形例］
なお、上述した実施形態に係る照明装置１では、光源５２とレンズ６０との距離を変化させる際には、光源５２を移動させることにより双方の距離を変化させているが、レンズ６０を移動させることにより、光源５２とレンズ６０との距離を変化させてもよい。また、上述した実施形態に係る照明装置１では、光源ユニット５０の移動は、作業者が移動装置１００のハンドル１１５を回転させることにより行うが、光源ユニット５０は、電動モータ等の駆動手段を用いて、制御装置１２０からの制御信号に基づいて移動させてもよい。光源５２とレンズ６０との距離を変化させる際には、光源５２とレンズ６０との距離を適切に変化させることができれば、いずれを移動させてもよく、また、光源５２やレンズ６０を移動させるための手法も問わない。
【００６１】
また、上述した実施形態に係る照明装置１では、筐体１０の通気孔１８のうち、光源５２の照射方向における伸縮遮光部材１３０が配置される位置に形成される通気孔１８は、筐体１０の上壁部１６に形成されているが、当該通気孔１８は、これ以外の位置に形成されていてもよい。例えば、光源５２の照射方向における伸縮遮光部材１３０が配置される位置に形成される通気孔１８は、筐体１０の側壁部１３に形成されていてもよい。筐体１０における伸縮遮光部材１３０の周囲に位置する部分に、通気孔１８を形成することにより、放熱器８０の移動範囲におけるいずれの位置においても放熱器８０の近傍に通気孔１８を位置させて通気孔１８から熱を放出することができ、効果的に放熱することができる。これにより、光源５２や放熱器８０の位置に関わらず、光源５２の発光時における温度上昇を効果的に抑えることができ、放熱性能を向上させることができる。
【００６２】
また、上述した実施形態に係る照明装置１では、伸縮遮光部材１３０の周囲に筐体１０が配置されているが、伸縮遮光部材１３０の周囲には筐体１０を配置しなくてもよい。光源５２とレンズ６０との間には、伸縮遮光部材１３０が配置されているため、光源５２から照射されてレンズ６０以外の方向に向かう光は、伸縮遮光部材１３０によって遮光することができる。即ち、光源５２とレンズ６０との間からの光の漏れは、伸縮遮光部材１３０によって抑制することができる。このため、強度等の他の要素を考慮して、伸縮遮光部材１３０の周囲に筐体１０を配置しなくても問題が無い場合は、伸縮遮光部材１３０の周囲には筐体１０を配置しなくてもよい。伸縮遮光部材１３０の周囲に筐体１０を配置しない場合は、放熱器８０からの放熱性をさらに高めることができ、より確実に温度上昇を抑制することができるため、より確実に放熱性能を向上させることができる。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６４】
１  照明装置
１０  筐体
１８  通気孔
２０  レンズ固定部
３０  バンドア
４０  吊り下げ部材
５０  光源ユニット
５１  基板
５２  光源
６０  レンズ
７０  冷却装置
８０  放熱器
１００  移動装置
１１０  移動機構
１１５  ハンドル
１２０  制御装置
１３０  伸縮遮光部材
【図１】
2020053277.tif 000003
【図２】
2020053277.tif 000004
【図３】
2020053277.tif 000005